【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
受信器ユニットにおいて実行される方法において、
生体内検体センサからユーザの検体レベルに関するデータを、１つ以上のプロセッサにおいて、受け取るステップ、
前記受け取られた検体データから前記ユーザの検体レベルを、前記１つ以上のプロセッサを用いて、決定するステップ、
前記受け取られた検体データ及び以前の検体データを用いて前記ユーザの前記検体レベルの変化率を決定するステップ、
前記ユーザの前記決定された検体レベルに基づいて、ボーラスである勧告インスリン投与量を、前記１つ以上のプロセッサを用いて、決定するステップ、及び
間質液中検体レベルと血中検体レベルの間の時間差に基づいて前記勧告インスリン投与量を、前記１つ以上のプロセッサを用いて、修正するステップ、
を含むことを特徴とする方法。
【請求項２】
前記勧告インスリン投与量及び前記修正勧告インスリン投与量の一方または両方を前記ユーザに、前記１つ以上のプロセッサを用いて、提示するステップ、
をさらに含むことを特徴とする請求項１に記載の方法。
【請求項３】
前記検体レベルの前記決定された変化率に対応する少なくとも１つのビンに前記ユーザの前記検体レベルに関する前記検体データを、前記１つ以上のプロセッサを用いて、分別するステップ、
をさらに含むことを特徴とする請求項１または２に記載の方法。
【請求項４】
前記少なくとも１つのビンへの前記検体データの前記分別に少なくともある程度は基づいて前記勧告インスリン投与量を、前記１つ以上のプロセッサを用いて、修正するステップ、
をさらに含むことを特徴とする請求項３に記載の方法。
【請求項５】
２ｍｇ/ｄＬ/分≦［前記検体レベルの前記変化率］であれば、前記修正勧告インスリン投与量が前記勧告インスリン投与量の少なくとも２０％の増加を含むことを特徴とする請求項４に記載の方法。
【請求項６】
１ｍｇ/ｄＬ/分≦［前記検体レベルの前記変化率］＜２ｍｇ/ｄＬ/分であると決定されれば、前記修正勧告インスリン投与量が勧告インスリン投与量の少なくとも１０％の増加を含むことを特徴とする請求項４に記載の方法。
【請求項７】
−１ｍｇ/ｄＬ/分≦［前記検体レベルの前記変化率］＜１ｍｇ/ｄＬ/分であると決定されれば、または前記検体レベル変化率が決定され得なければ、前記修正勧告インスリン投与量が無修正の前記勧告インスリン投与量を含むことを特徴とする請求項４に記載の方法。
【請求項８】
−２ｍｇ/ｄＬ/分≦［前記検体レベルの前記変化率］＜−１ｍｇ/ｄＬ/分であると決定されれば、前記修正勧告インスリン投与量が前記勧告インスリン投与量の少なくとも１０％の減少を含むことを特徴とする請求項４に記載の方法。
【請求項９】
［前記検体レベルの前記決定された変化率］≧−２ｍｇ/ｄＬ/分であれば、前記修正勧告インスリン投与量が、前記勧告インスリン投与量の少なくとも２０％の減少を含むことを特徴とする請求項４に記載の方法。
【請求項１０】
前記決定された変化率及び以前の変化率の少なくとも一方を用いて所定の将来時点に対する検体レベル変移を、前記１つ以上のプロセッサを用いて、決定するステップ、
前記所定の将来時点に対する前記決定された検体レベル変移に基づいて前記勧告インスリン投与量を、前記１つ以上のプロセッサを用いて、修正するステップ、及び
前記ユーザに前記修正勧告インスリン投与量を、前記１つ以上のプロセッサを用いて、提示するステップ、
をさらに含むことを特徴とする請求項１から９のいずれか１項に記載の方法。
【請求項１１】
前記受け取られた検体データ、前記決定された変化率、ユーザのインスリン感受性及び検体レベル目標値の内の少なくとも１つを用いて所定の将来時点に対する検体レベル変移を、前記１つ以上のプロセッサを用いて、決定するステップ、
前記所定の将来時点に対する前記決定された検体レベル変移に基づいて前記勧告インスリン投与量を、前記１つ以上のプロセッサを用いて、修正するステップ、及び
前記ユーザに前記修正勧告インスリン投与量を、前記１つ以上のプロセッサを用いて、提示するステップ、
をさらに含むことを特徴とする請求項１から９のいずれか１項に記載の方法。
【請求項１２】
薬物投与デバイスに前記修正勧告インスリン投与量を、前記１つ以上のプロセッサから、送信するステップ、
をさらに含むことを特徴とする請求項１から１１のいずれか１項に記載の方法。
【請求項１３】
前記時間差が検体センサにともなう較正係数に基づいて決定されることを特徴とする請求項１から１２のいずれか１項に記載の方法。
【請求項１４】
傾向感度に基づいて前記勧告インスリン投与量を修正するステップをさらに含むことを特徴とする請求項１から１３のいずれか１項に記載の方法。
【請求項１５】
受信器ユニット装置において、
ユーザインターフェース、
１つ以上のプロセッサ、及び
前記１つ以上のプロセッサによって実行されると、生体内検体センサからのユーザの検体レベルに関する検体データの受取り、前記受け取られた検体データからの前記ユーザの検体レベルの決定、前記受け取られた検体データ及び以前の検体データを用いる前記ユーザの前記検体レベルの変化率の決定、前記ユーザの前記決定された検体レベルに基づく、ボーラスである勧告インスリン投与量の決定、及び、間質液中検体レベルと血中検体レベルの間の時間差に基づく前記勧告インスリン投与量の修正、を前記１つ以上のプロセッサに行わせる、命令を格納しているメモリ、
を備えることを特徴とする装置。
【請求項１６】
前記メモリが、前記１つ以上のプロセッサによって実行されると、前記勧告インスリン投与量及び前記修正勧告インスリン投与量の一方または両方の前記ユーザインテーフェース上の提示を前記１つ以上のプロセッサに行わせる、命令を格納していることを特徴とする請求項１５に記載の装置。
【請求項１７】
前記メモリが、前記１つ以上のプロセッサによって実行されると、前記検体レベルの前記決定された変化率に対応する少なくとも１つのビンへの前記ユーザの前記検体レベルに関する前記検体データの分別を前記少なくとも１つのプロセッサに行わせる、命令を格納していることを特徴とする請求項１５または１６に記載の装置。
【請求項１８】
前記メモリが、前記１つ以上のプロセッサによって実行されると、前記少なくとも１つのビンへの前記検体データの前記分別に少なくともある程度は基づく前記勧告インスリン投与量の修正を前記１つ以上のプロセッサに行わせる、命令を格納していることを特徴とする請求項１７に記載の装置。
【請求項１９】
前記メモリが、前記１つ以上のプロセッサによって実行されると、前記決定された変化率及び以前の変化率の少なくとも一方を用いる所定の将来時点に対する検体レベル変移の決定、前記所定の将来時点に対する前記決定された検体レベル変移に基づく前記勧告インスリン投与量の修正、及び前記修正勧告インスリン投与量の前記ユーザインターフェース上の提示、を前記１つ以上のプロセッサに行わせる、命令を格納していることを特徴とする請求項１５から１８のいずれか１項に記載の装置。
【請求項２０】
前記メモリが、前記１つ以上のプロセッサによって実行されると、前記受け取られた検体データ、前記決定された変化率、ユーザのインスリン感受性及び検体レベル目標値の内の少なくとも１つを用いる所定の将来時点に対する検体レベル変移の決定、前記所定の将来時点に対する前記決定された検体レベル変移に基づく前記勧告インスリン投与量の修正、及び前記ユーザインターフェース上の前記修正勧告インスリン投与量の提示、を前記１つ以上のプロセッサに行わせる、命令を格納していることを特徴とする請求項１５から１８のいずれか１項に記載の装置。
【請求項２１】
前記メモリが、前記１つ以上のプロセッサによって実行されると、検体センサにともなう較正係数に基づく前記時間差の決定を前記１つ以上のプロセッサに行わせる、命令を格納していることを特徴とする請求項１５から２０のいずれか１項に記載の装置。
【請求項２２】
前記メモリが、前記１つ以上のプロセッサによって実行されると、傾向感度に基づく前記勧告インスリン投与量の修正を前記１つ以上のプロセッサに行わせる、命令を格納していることを特徴とする請求項１５から２１のいずれか１項に記載の装置。